(57)【要約】【課題】前開き部を閉じた際に風雨などの浸入を効果的に防ぐことができる上衣の提供を目的とする。【解決手段】前開き部に臨む左右の前身頃縁部に沿ってそれぞれ左係止部と右係止部とを設けてあり前開き部を閉じるために左係止部と右係止部とを係止する係止具と、左右の係止部を閉じ合わせた係止具上に重ねるために帯形で左右の前身頃の一方の縁部に当該縁部に沿って連結してある下前立てと、下前立て上に重ねるために帯形で他方の前身頃の縁部に当該縁部に沿って連結してあり外側に被係着部を有して且つ外側向きに折り返した折返し部とを有する中前立てと、中前立て上に重ねるために帯形で一方の前身頃の縁部に当該縁部に沿って連結してあり内側に中前立ての被係着部に係着させるための係着部を有する上前立てとを有することを特徴とする上衣とした。【選択図】  図１
2010216069.tif 000002
【特許請求の範囲】
【請求項１】
前開き部に臨む左右の前身頃縁部に沿ってそれぞれ左係止部と右係止部とを設けてあり前開き部を閉じるために左係止部と右係止部とを係止する係止具と、
左右の係止部を閉じ合わせた係止具上に重ねるために帯形で左右の前身頃の一方の縁部に当該縁部に沿って連結してある下前立てと、
下前立て上に重ねるために帯形で他方の前身頃の縁部に当該縁部に沿って連結してあり外側に被係着部を有して且つ外側向きに折り返した折返し部とを有する中前立てと、
中前立て上に重ねるために帯形で一方の前身頃の縁部に当該縁部に沿って連結してあり内側に中前立ての被係着部に係着させるための係着部を有する上前立てとを有することを特徴とする上衣。
【発明の詳細な説明】
【技術分野】
【０００１】
本発明は、前開き部の防水性および防寒性に優れた上衣に関する。
【背景技術】
【０００２】
防寒用の上衣では、例えば前開き部を閉じるスライドファスナー部分を覆うように帯状の持ち出した前立てを設けて、スライドファスナー部分から風雨等が内側に浸入するのを防止する技術が公知である。
実開平１−１０２１０６号公報に、スライドファスナー部分を内カバー片で覆い、内カバー片の外側を外カバー片で覆う技術を開示する。
しかし、この技術では外部から内カバー片と外カバー片との隙間を通ってスライドファスナー部分まで浸入する風雨をある程度防ぐことはできるが、風雨などが強い場合には隙間が拡がってしまい、スライドファスナーの合わせ目まで伝ってしまうため浸入防止効果が不十分であった。
【先行技術文献】
【特許文献】
【０００３】
【特許文献１】実開平１−１０２１０６号公報
【発明の概要】
【発明が解決しようとする課題】
【０００４】
本発明は上記技術的課題に鑑みて、前開き部を閉じた際に風雨などの浸入を効果的に防ぐことができる上衣の提供を目的とする。
【課題を解決するための手段】
【０００５】
本発明に係る上衣は、前開き部に臨む左右の前身頃縁部に沿ってそれぞれ左係止部と右係止部とを設けてあり前開き部を閉じるために左係止部と右係止部とを係止する係止具と、左右の係止部を閉じ合わせた係止具上に重ねるために帯形で左右の前身頃の一方の縁部に当該縁部に沿って連結してある下前立てと、下前立て上に重ねるために帯形で他方の前身頃の縁部に当該縁部に沿って連結してあり外側に被係着部を有して且つ外側向きに折り返した折返し部とを有する中前立てと、中前立て上に重ねるために帯形で一方の前身頃の縁部に当該縁部に沿って連結してあり内側に中前立ての被係着部に係着させるための係着部を有する上前立てとを有することを特徴とする。
【発明の効果】
【０００６】
本発明に係る上衣においては、左右の前身頃縁部の一方に連結した上前立てと下前立てとの間に、他方の前身頃縁部に連結した中前立てを差し挟むようにして、スライドファスナーなどの係止具の合わせ目上に重ねて閉じる。
これにより、この上前立てと中前立てと下前立ての閉じ合わせ部分おいて、外部から風雨などが、上前立てと中前立てとの間の隙間を通ってスライドファスナーなどの係止具部分まで到達することを防止でき、風雨などの浸入を効果的に防止できる。
【図面の簡単な説明】
【０００７】
【図１】（ａ）は本発明に係る上衣の前開き部を開けた状態の外観説明図を示し、（ｂ）はＡ部を拡大した説明図を示す。
【図２】（ａ）は本発明に係る上衣の前開き部を閉じた状態の外観説明図を示し、（ｂ）はＢ部を拡大した説明図を示す。
【図３】左合わせ部と右合わせ部とを閉じ合わせる手順の説明図を示す。
【図４】係着部と被係着部にドット釦を用いた状態の説明図を示す。
【発明を実施するための形態】
【０００８】
図１（ａ）は本発明に関する上衣１０の前開き部１３を開けた状態の外観説明図で、図１（ｂ）はＡ部を拡大した説明図を示す。
また、図２（ａ）は上衣１０の前開き部１３を閉じた状態の外観説明図を示し、図２（ｂ）はＢ部を拡大した説明図を示す。
上衣１０は、前開き部１３を閉じるためのスライドファスナー（係止具）２０のスライダー部２１ｃを有するテープ部（係止部）２１ａを前開き部１３に臨む左前身頃１５の縁部１５ａに沿って縁部１５ａの先端に取り付け、スライダー部２１ｃを有しないテープ部（係止部）２１ｂを右前身頃１６の縁部１６ａに沿って縁部１６ａの先端に取り付けてある。
ここで左右とは、上衣１０の着用者からみた左右を意味する。
左前身頃１５には、帯形の上前立て５０が左前身頃１５の縁部１５ａに沿って、上前立て取付部５２を縁部１５ａに連結して取り付けてある。
上前立て５０の内側面５１には、面状ファスナーの係着部５３を設けてある。
そして、左前身頃１５には帯形の下前立て３０を縁部１５ａに沿って、下前立て取付部３１を上前立て５０の取付部５２に連結することで取付部３１を介して取り付けてある。
上前立て５０には、この下前立て取付部３１と上前立て取付部５２とを覆い隠すステッチ５２ａが設けてある。
右前身頃１６には、帯形の中前立て４０を右前身頃１６の縁部１６ａに沿って、中前立て取付部４２を縁部１６ａに連結して取り付けてある。
中前立て４０には、この取付部４２を覆い隠すステッチ４２ａが設けてある。
中前立て４０の外側面４１には、面状ファスナーの被係着部４３を設けてあり、また、中前立て４０の端部には外側向きに折り返した折返し部４４を設けてある。
この折返し部４４は、中前立て４０の前開き部１３側の端部を外側向きに折り返して、折り返した山形部４４ｂをカンヌキ部４５でジグザグ状に縫い合わせて折返し形状を固定してある。
上衣１０は、左前身頃１５の縁部１５ａに、スライドファスナー２０のテープ部２１ａと下前立て３０と上前立て５０を連結して、前開き部１３を左側から閉じる左合わせ部１１を設けてある。
右前身頃１６の縁部１６ａに、スライドファスナー２０のテープ部２１ｂと中前立て４０を連結して、前開き部１３を右側から閉じる右合わせ部１２を設けてある。
【０００９】
図３は、左合わせ部１１と右合わせ部１２とを閉じ合わせる手順の説明図を示す。
左合わせ部１１と右合わせ部１２は、図３（ａ）に示すようにファスナー２０を閉じて、図３（ｂ）に示すようにスライドファスナー２０の合わせ目２２を覆うように下前立て３０を重ねる。
そして、図３（ｃ）に示すように下前立て３０上に中前立て４０を重ね、中前立て４０の面状ファスナーの被係着部４３に上前立て５０の面状ファスナーの係着部５３を係着させて図３（ｄ）に示すように中前立て４０上に上前立て５０を重ねて、左合わせ部１１と右合わせ部１２とを閉じ合わせる。
この被係着部４３と係着部５３は、互いに係脱自在に係着するものであればよく、例えば図４に示すようにドット釦を用いてもよく、図４（ａ）に示すように中前立て４０に設けたドット釦オス６１と上前立て５０に設けたドット釦メス６２とを、図４（ｂ）に示すように係着させるものでもよい。
【００１０】
図２（ｂ）に示すように、スライドファスナー２０を閉じて、左合わせ部１１と右合わせ部１２とを閉じ合わせた状態では、左前身頃１５側からスライドファスナー２０上に延出した上前立て５０と下前立て３０との間に、右前身頃１６側からスライドファスナー２０上に延出した中前立て４０が挟まれている。
左合わせ部１１と右合わせ部１２との閉じ合わせ部１０ａには、外部から隙間開口部１４ｂより上前立て５０と中前立て４０との間を通り、中前立て４０と下前立て３０との間を通り、下前立て３０とスライドファスナー２０を取り付けている右前身頃１６の縁部１６aとの間を通ってスライドファスナー２０の合わせ目２２までに至る隙間１４が形成される。
この隙間１４の、上前立て５０と中前立て４０の間から中前立て４０と下前立て３０の間にかけては、折返し形状の隙間折返し部１４ａを形成してある。
外部から隙間開口部１４ｂを通って侵入しようとする風雨などは、上前立て５０と中前立て４０との間に配置された折返し部４４の谷形部４４ａで遮断する。
そして、折返し部４４を越えて隙間１４を通って浸入しようとする強い風雨などは、隙間折返し部１４ａの折返し形状で遮断する。
これにより閉じ合わせ部１０ａ内において、風雨などが外部から隙間開口部１４ｂを通って、スライドファスナー２０及び、左・右前身頃縁部１５ａ、１６ａまで到達することを効果的に防止する。
【符号の説明】
【００１１】
１０    上衣
１０ａ  閉じ合わせ部
１１    左合わせ部
１２    右合わせ部
１３    前開き部
１４    隙間
１４ａ  隙間の折返し部
１４ｂ  隙間開口部
１５    左前身頃
１５ａ  左前身頃縁部
１６    右前身頃
１６ａ  右前身頃縁部
２０    スライドファスナー（係止具）
２１ａ、２１ｂ  ファスナーテープ部（係止部）
２１ｃ  ファスナースライダー部
２２    スライドファスナーの合わせ目
３０    下前立て
３１    下前立て取付部
４０    中前立て
４１    中前立て外側面
４２    中前立て取付部
４２ａ  ステッチ
４３    面状ファスナーの被係着部
４４    折返し部
４４ａ  谷形部
４４ｂ  山形部
４５    カンヌキ部
５０    上前立て
５１    上前立て内側面
５２    上前立て取付部
５２ａ  ステッチ
５３    面状ファスナーの係着部
６１    ドット釦オス
６２    ドット釦メス
【図１】
2010216069.tif 000003
【図２】
2010216069.tif 000004
【図３】
2010216069.tif 000005
【図４】
2010216069.tif 000006